(57)【特許請求の範囲】
【請求項１】
軸芯に電線挿通孔を有し、先端に端子の加締片が加締係着される端子加締筒部を備えるとともに、後端外周にシール用環状突起を有するシール部を備えてなり、前記電線挿通孔に電線を挿通させ、前記端子加締筒部に前記端子の加締片を係着させてコネクタハウジングに挿着させ、前記シール用環状突起を前記コネクタハウジングの防水栓挿通路に密接させる防水栓において、
前記端子加締筒部が、前記加締片によって締め付けられる細径部と、該細径部の前端に前記加締片の抜けを防止する拡径部とを具備しており、前記端子加締筒部の少なくとも前記細径部の係着面全体に略半球形状の突起を多数形成し、前記加締片を加締めた際に、前記突起を変形させて、前記加締片の変形量を吸収させるようにしたことを特徴とする防水栓。
【発明の詳細な説明】
【０００１】
【発明の属する技術分野】
本発明は、端子接続された電線に装着させてコネクタハウジングの電線挿通路に装着した際、電線と電線挿通路との間を水密にする防水栓に関するものである。
【０００２】
【従来の技術】
自動車のワイヤーハーネス等は、コネクタを介して電気機器等のリード線等に接続されるが、コネクタ同士による接続箇所が、外部からの雨滴等の進入が予測される場合には、コネクタは防水処置を施す必要がある。防水処置としては、電線毎に防水栓を被着してコネクタハウジングの電線挿通路に引き込む簡易タイプのものがある。
【０００３】
図７および図８は、このような従来の防水構造を示したもので、図７はその防水構造で使用される防水栓を示し、図８は該防水栓を使用して電線をコネクタハウジングに挿嵌させたコネクタを示している。防水栓５０は、図７に示すように、電線６０を挿通可能な電線挿通孔５１を有する略筒状からなって、ゴム等の一体成形品として形成され、端子加締筒部５２と、シール部５３とを備えている。
【０００４】
ここに、前記端子加締筒部５２は、挿通された電線６０とともに端子６１（図８参照）の加締片６２により締め付け固定される筒状部であり、前記加締片６２によって締め付けられる細径部５４と、該細径部５４の前端に位置して前記加締片６２による締め付け部からの抜けを防止する拡径部５５とを具備して構成されている。また、前記シール部５３は、該端子加締筒部５２の後端部に連なって設けられるとともに、その外周面に、コネクタハウジング７０に挿入した際、コネクタハウジング７０の電線挿通路７１の内周面と密着する複数条のシール用環状突起５７を設けた筒状部である。前記端子６１は、この例の場合はいわゆる雄型端子で、基端側に、防水栓５０の細径部５４を前記電線６０とともに加締圧着する加締片６２と、前記電線６０の導体６０ｂを圧着して該電線６０と導通接続される圧着片６３とを設けている。また、この基端部に連なる先端部６４は、電線挿通路７１と連通の端子収容室７２により突出して雌型端子と電気接続される舌状突片となっている。
【０００５】
上記のように構成された防水栓５０は、端子６１に接続された電線６０に被着されて、コネクタハウジング７０の電線挿通路７１内に挿入されると、端子６１の凹部６５が端子収容室７２に設けた可撓係止片（ランス）７３と後ろ抜け不能に係合することで、電線挿通路７１内に装着される。そして、この装着状態において、防水栓５０はシール用環状突起５６が電線挿通路７１の内周面に圧接して電線６０とコネクタハウジング７０との間を水密にすることで防水が好適に図られる。
【０００６】
【発明が解決しようとする課題】
ところで、このようなコネクタでは、各種のサイズ（径）の電線が使用される。そして、それらの２〜３のサイズのものを共用して、大、中、小の３種類の端子６１の１つが選択される。したがって、電線サイズが太い場合には、図９に示すように端子６１の加締片６２の両端部６２ａ，６２ａを重ね合わすことができず、その状態で加締片６２を絞り込んでいくと、防水栓５０の肉が加締片６２の変形に伴って一方に寄せられ、加締片６２の両端部６２ａ，６２ａで防水栓５０の一部を挟み込んでしまい、防水栓５０に傷を付ける恐れがある。このような状態で、長期にわたって使用すると、亀裂が拡がって遂には切断に至り、端子６１と防水栓５０とが離反して防水栓５０がコネクタハウジング７０から抜け出る恐れがある。
【０００７】
本発明はこのような従来技術の有する課題を解決するためになされたもので、その目的は、太い電線に端子を加締圧着する場合でも傷を付けることなく端子を加締圧着することのできる防水栓を提供することにある。
【０００８】
【課題を解決するための手段】
上記課題を解決するために本発明の防水栓では、軸芯に電線挿通孔を有し、先端に端子の加締片が加締係着される端子加締筒部を備えるとともに、後端外周にシール用環状突起を有するシール部を備えてなり、前記電線挿通孔に電線を挿通させ、前記端子加締筒部に前記端子の加締片を係着させてコネクタハウジングに挿着させ、前記シール用環状突起を前記コネクタハウジングの防水栓挿通路に密接させる防水栓において、前記端子加締筒部が、前記加締片によって締め付けられる細径部と、該細径部の前端に前記加締片の抜けを防止する拡径部とを具備しており、前記端子加締筒部の少なくとも前記細径部の係着面全体に略半球形状の突起を多数形成し、前記加締片を加締めた際に、前記突起を変形させて、前記加締片の変形量を吸収させるようにしている。
【０００９】
前記突起としては、略半球形状のものが前記端子加締筒部に多数形成される。
【００１０】
本発明の防水栓によれば、加締片を絞り込んだとき、端子の加締片を端子加締筒部に形成した各突起が加締片の変形量をそこで吸収させるため、端子加締筒部の肉が加締片の変形に伴って一方に寄せられことなく、加締片の両端部で端子加締筒部の一部を挟み込む恐れはない。したがって、端子加締筒部が加締片の長さに対して太い場合でも端子加締筒部が加締片の両端部によって挟み込まれるのが防止され、防水栓の損傷が防止される。
【００１１】
【発明の実施の形態】
以下、本発明に係る防水栓の好適な実施の形態を図面を参照して詳細に説明する。なお、本発明の実施の形態の説明に先立ち、本発明と主要部の構成が同じである参考例を説明する。図１は本発明に係る防水栓の第１参考例を示し、図２はその防水栓に電線および端子を組み付けた状態を示し、図３は電線，端子が組み付けられた防水栓をコネクタハウジングに組み込んだ状態を示している。
【００１２】
防水栓１０は、図１に示したように、全体として電線６０が挿通可能な電線挿通孔１１を有する略筒状を呈して、合成ゴム等の一体成形品として形成されるものであり、機能的に端子加締筒部１２とシール部１３の２つの部位を備える。ここに、前記端子加締筒部１２は、電線挿通孔１１に挿通された電線６０とともに端子２０の加締片２１（図２参照）により外方より締め付け固定される筒状部であり、前記加締片２１によって締め付けられる細径部１４、該細径部１４の前端に位置して前記加締め片２１による締め付け部からの抜けを防止する拡径部１５とを具備して構成されている。そして、細径部１４の外周面には等間隔に電線挿通孔１１と平行な例えば６本の凸条１６が形成されている。なお、図示していないが、前記電線挿通孔１１は、その内径が前記シール部１３の部分で一番小さくなるように設定されるとともに、内周面に沿って複数の凹凸部が形成されている。このような構造により、防水栓１０は、電線６０の挿通性と密着性という相反する機能が同時に達成されるようになされている。また、シール部１３は、端子加締筒部１２の後端部に連なるとともに、シール用環状突起１７が外周部に一定間隔で３個所に設けられた筒状部である。なお、シール用環状突起１７は、コネクタハウジング３０（図３参照）の端子収容室３１に連通した防水栓挿通路３２の内周面に密着するようにその外径寸法が設定されており、端子加締筒部１２の拡径部１５よりも大きい。
【００１３】
前記端子２０は、この例の場合はいわゆる雄型の端子で、基端側には、前記電線６０を挿通させた防水栓１０の細径部１４を把持する加締片２１と、前記電線６０の導体６０ｂに圧着させて電線６０との電気的接続を果たす圧着片２２とが備えられ、また、この基端部に連なる先端部２３は、雌型端子の先端に嵌合される舌状の突片となっている。
【００１４】
前記電線６０への端子２０の圧着は、先ず前記電線６０の先端を外部被覆６０ａを付けた状態のまま前記防水栓１０の電線挿通孔１１に貫通させ、該防水栓１０の端子加締筒部１２より一定長だけ、前記電線６０の先端を突出させた状態にして行われる。次いで、この電線６０の先端側の外部被覆６０ａを剥いで導体６０ｂを露出させた状態にし、露出している導体６０ｂが前記端子２０の圧着片２２の位置にくるように、前記防水栓１０の端子加締筒部１２および端子加締筒部１２から突出した導体６０ｂに前記端子２０を縦添えする。そして、端子２０の加締片２１を防水栓１０の端子加締筒部１２に加締めて端子２０を防水栓１０に結合する。その際、図４に示したように、各凸条１６がそれぞれ変形して加締片２１の変形量を吸収する。したがって、端子加締筒部１２が加締片２１の長さに対して太い場合にも端子加締筒部１２が加締片２１の両端部２１ａ，２１ａによって挟み込まれることはない。次いで前記圧着片２１を加締めて導体６０ｂと端子２０とを電気的に接続する。
【００１５】
このようにして端子２０が結合された防水栓１０は、コネクタハウジング３０に挿着される。コネクタハウジング３０は、絶縁性に優れた合成樹脂等によって形成され、端子収容室３１内の先端寄りの位置には、各端子収容室３１に挿入された雄型の端子２０に係合することにより該端子２０の後ろ抜けを防止するランス３３が装備されている。そして、このコネクタでは、端子２０に接続した電線６０に被着される防水ゴム栓１０によって、コネクタハウジング３０内において電線単位で防水が図られる。
【００１６】
このようにして、電線６０の先端に接続された端子２０がコネクタハウジング３０の端子収容室３１の規定位置まで挿入されると、前記ランス３３が端子２０の凹部２４に係合することによって該端子２０の後ろ抜け止めがなされると同時に、前記防水栓１０が防水栓挿通路３２内に圧入され、シール用環状突起１７が該防水栓挿通路３２の内周面に緊密に嵌合してコネクタハウジング３０と防水栓１０との間の防水が実現される。また、前記電線挿通孔１１の凸部が電線６０の外部被覆６０ａに密着することにより、防水栓１０と電線６０との間の防水も実現される。
【００１７】
なお、上記第１参考例では、防水栓２０の細径部１４に凸条１６を形成することによって加締片２１の変形量を吸収し、端子加締筒部１２が加締片２１の長さに対して太い場合でも端子加締筒部１２が加締片２１の両端部２１ａ，２１ａによって挟み込まれるのを防止しているが、図５に示した第２参考例のように、細径部１４に溝１８ａを形成し、該溝１８ａによって画成される部分で凸条１８を形成してもよく、図６に示した本発明の実施の形態のように、細径部１４の外周面全体に多数の半球形等の突起１９を形成してもよい。要は、細径部１４に突起を形成することによって、その各突起で加締片２１の変形量を吸収すればよい。
【００１８】
【発明の効果】
以上に記載した実施の形態からも明らかなように、本発明に係る防水栓では、端子の加締片を圧着させる細径部に略半球形状の突起を多数形成することによって、それぞれの突起で加締片の変形量を吸収させている。したがって、端子加締筒部が加締片の長さに対して太い場合でも端子加締筒部が加締片の両端部によって挟み込まれるのが防止され、防水栓の損傷が防止される。
【図面の簡単な説明】
【図１】  本発明に係る防水栓の第１参考例を示した概念的な斜視図である。
【図２】  図１に示した防水栓に電線を装着して端子を取り付けた状態を示した斜視図である。
【図３】  図２に示した端子を装着した電線をコネクタハウジングへ装着させた状態を示した断面図である。
【図４】  図１に示した防水栓の加締筒部に端子の加締片を加締圧着した状態を示した断面図である。
【図５】  本発明に係る防水栓の第２参考例を示した概念的な斜視図である。
【図６】  本発明に係る防水栓の実施の形態を示した概念的な斜視図である。
【図７】  従来の防水栓の斜視図である。
【図８】  図７に示した従来の防水栓を使用して、電線をコネクタハウジングに装着させた状態の断面図である。
【図９】  図７に示した従来の防水栓の問題点を説明するための断面図である。
【符号の説明】
１０  防水栓
１１  電線挿通孔
１２  端子加締筒部
１３  シール部
１４  細径部
１５  拡径部
１６  凸条
１７  シール用環状突起
１８  凸条
１８ａ  溝
１９  突起
２０  端子
２１  加締片
２１ａ  端部
２２  圧着片
２３  先端部
３０  コネクタハウジング
３１  端子収容室
３２  防水栓挿通路
３３  ランス
６０  電線
６０ａ  外部被覆
６０ｂ  導体
【図１】
0004024916.tif 000002
【図２】
0004024916.tif 000003
【図３】
0004024916.tif 000004
【図４】
0004024916.tif 000005
【図５】
0004024916.tif 000006
【図６】
0004024916.tif 000007
【図７】
0004024916.tif 000008
【図８】
0004024916.tif 000009
【図９】
0004024916.tif 000010